(57)【要約】    【課題】  撒餌による集魚及び食いの効果を長期間にわたって発揮できるようにした撒餌セットを提供する。    【解決手段】  水の存在下で発泡性物質を発泡させて撒餌原料をばらけさせるようにした釣り用撒餌をつくるための釣り用撒餌セットであって、密閉可能な容器(10)に入れられた炭酸塩及び／又は炭酸水素塩と、炭酸塩及び／又は炭酸水素塩と反応し得る量が炭酸塩及び／又は炭酸水素塩と異なる密閉可能な容器(11)に入れられた有機酸と、炭酸塩及び／又は炭酸水素塩と有機酸のいずれか一方又は両方の容器に入れられた撒餌原料とを備え、撒餌投入時に炭酸塩及び／又は炭酸水素塩、有機酸及び撒餌原料を容器から取り出して造形材とともに混ぜ合わせて造形し得るようにする。【選択図】  図１
2006166856.tif 000002
【特許請求の範囲】
【請求項１】
水の存在下で発泡性物質を発泡させて撒餌原料をばらけさせるようにした釣り用撒餌をつくるためのセットであって、
密閉可能な容器に入れられた炭酸塩及び／又は炭酸水素塩と、該炭酸塩及び／又は炭酸水素塩と反応し得る量が上記炭酸塩及び／又は炭酸水素塩と異なる密閉可能な容器に入れられた有機酸と、上記炭酸塩及び／又は炭酸水素塩と上記有機酸のいずれか一方又は両方の容器に入れられた撒餌原料とを備え、
撒餌投入時に上記炭酸塩及び／又は炭酸水素塩と有機酸と撒餌原料とが容器から取り出されて造形材とともに混ぜ合わされて造形され得るようにしたことを特徴とする釣り用撒餌セット。
【請求項２】
水の存在下で発泡性物質を発泡させて撒餌原料をばらけさせるようにした釣り用撒餌をつくるためのセットであって、
密閉可能な容器に入れられた炭酸塩及び／又は炭酸水素塩と、該炭酸塩及び／又は炭酸水素塩と反応し得る量が上記炭酸塩及び／又は炭酸水素塩と異なる密閉可能な容器に入れられた有機酸とを備え、
撒餌投入時に上記炭酸塩及び／又は炭酸水素塩と有機酸とが容器から取り出されて撒餌原料及び造形材とともに混ぜ合わされて造形され得るようにしたことを特徴とする釣り用撒餌セット。
【請求項３】
上記造形材が上記炭酸塩及び／又は炭酸水素塩と上記有機酸のいずれか一方又は両方の容器に入れられて混ぜ合わされている請求項１又は２記載の釣り用撒餌セット。
【請求項４】
上記造形材が油脂又はアルコール類である請求項１又は２記載の釣り用撒餌セット。
【発明の詳細な説明】
【技術分野】
【０００１】
この発明は釣り用撒餌セットに関し、特に撒餌による集魚及び食いの効果を長期間にわたって発揮できるようにした撒餌セットに関する。
【背景技術】
【０００２】
例えば、海釣り等において釣りのポイントに魚を集め、その魚に食いを起こさせることが釣果に密接に関係することから、ポイント近くに撒餌をすることが多い。
【０００３】
通常、撒餌をする場合、オキアミ、アミエビ、魚粉、グルテン粉末、サナギ粉、イモ粉等の撒餌原料を海水や水で練りこんで硬さを調整し、杓にすくってポイントに投入し、あるいはダンゴにして刺し餌を包み、刺し餌とともにポイントに投入することが行われていた。
【０００４】
しかし、撒餌が軟らかすぎると釣ろうとする魚のいる深さ（たな）まで沈む前にばらけてしまう一方、撒餌が硬すぎるとたなに達してもなかなかばらけず、集魚及び食いの効果がすぐに得られない。
【０００５】
これに対し、水の存在下で反応して発泡する発泡性物質を撒餌原料に混合し、海水等に投入した時に発泡させることによってばらけるようにした撒餌が種々提案されている（特許文献１、特許文献２、特許文献３、特許文献４、特許文献５）
【０００６】
【特許文献１】特開平０１−１５７３３１号公報
【特許文献２】特開平０３−２６２４３３号公報
【特許文献３】特開平０５−１９２０６３号公報
【特許文献４】特開２０００−１５７１２号公報
【特許文献５】特開２００１−８６９１２号公報
【発明の開示】
【発明が解決しようとする課題】
【０００７】
しかし、上記従来の撒餌では発泡性物質が空気中の水分を吸湿して徐々に反応してしまい、ある程度の期間が経過すると撒餌を海水等に投入しても発泡せず、本来の集魚及び食いの効果が得られないという問題があった。
【０００８】
本発明はかかる問題点に鑑み、集魚及び食いの効果を長期間にわたって発揮できるようにした撒餌を提供することを課題とする。
【課題を解決するための手段】
【０００９】
本件発明者らは上述の課題を解決すべく鋭意研究したところ、従来の撒餌では炭酸塩及び／又は炭酸水素塩と有機酸とを混合した発泡性物質が用いられているが、この発泡性物質の場合には炭酸塩及び／又は炭酸水素塩と有機酸とを別々に保存しておき、撒餌をする時に混ぜ合わせれば優れた発泡性を確保できることが期待される。
【００１０】
そこで、本発明に係る釣り用撒餌セットは、水の存在下で発泡性物質を発泡させて撒餌原料をばらけさせるようにした釣り用撒餌をつくるためのセットであって、密閉可能な容器に入れられた炭酸塩及び／又は炭酸水素塩と、該炭酸塩及び／又は炭酸水素塩と反応し得る量が上記炭酸塩及び／又は炭酸水素塩と異なる密閉可能な容器に入れられた有機酸と、上記炭酸塩及び／又は炭酸水素塩と上記有機酸のいずれか一方又は両方の容器に入れられた撒餌原料とを備え、撒餌投入時に上記炭酸塩及び／又は炭酸水素塩と有機酸と撒餌原料とが容器から取り出されて造形材とともに混ぜ合わされて造形され得るようにしたことを特徴とする。
【００１１】
本発明の特徴の１つは炭酸塩及び／又は炭酸水素塩と有機酸とを別々の容器に保管し、撒餌をする時に混ぜ合わせるようにした点にある。これにより、発泡性物質が空気中の水分を吸湿して徐々に反応することはなくなり、長期間が経過しても優れた発泡性を確保して撒餌の集魚及び食いの効果を確保できる。
【００１２】
撒餌はこれを練る時に水分が存在すると発泡してしまうので、可能な限り水分を少なくする必要がある。本発明の他の特徴は造形材を用いて撒餌を造形するようにした点にある。これにより、撒餌を練る時に海水や水は不要となり、撒餌を練っているときに発泡することはなく、海水等に投入したときに初めて反応が開始されて発泡するので、撒餌の優れた集魚及び食いの効果を確保できる。
【００１３】
撒餌原料を炭酸塩及び／又は炭酸水素塩と有機酸のいずれか一方又は両方の容器に入れるようにしたが、撒餌原料は釣ろうとする魚に応じて選択されるのがよい。しかし、この場合には魚の種類に応じて撒餌セットを準備しておく必要がある。他方、撒餌の材料は魚に応じたものが市販されていることから、炭酸塩及び／又は炭酸水素塩と有機酸とで撒餌セットを構成し、市販の撒餌の材料を有効に利用することもでき、そのような撒餌セットも斬新である。
【００１４】
即ち、本発明によれば、水の存在下で発泡性物質を発泡させて撒餌原料をばらけさせるようにした釣り用撒餌をつくるためのセットであって、密閉可能な容器に入れられた炭酸塩及び／又は炭酸水素塩と、該炭酸塩及び／又は炭酸水素塩と反応し得る量が上記炭酸塩及び／又は炭酸水素塩と異なる密閉可能な容器に入れられた有機酸とを備え、撒餌投入時に上記炭酸塩及び／又は炭酸水素塩と有機酸とが容器から取り出されて撒餌原料及び造形材とともに混ぜ合わされて造形され得るようにしたことを特徴とする釣り用撒餌セットを提供することができる。
【００１５】
このような釣り用撒餌セットによれば、魚の種類に応じて適切な撒餌をすることができるので、より一層釣果をあげることができる。
【００１６】
造形材は炭酸塩及び／又は炭酸水素塩や有機酸とは別の容器に入れてもよく、あるいは炭酸塩及び／又は炭酸水素塩と有機酸のいずれか一方又は両方の容器に入れて予め混ぜ合わせておいてもよい。また、市販の撒餌を利用する場合には予め撒餌原料に混ぜ合わせておいてもよい。
【００１７】
造形材は水以外のものであって、混合した発泡性物質（炭酸塩及び／又は炭酸水素塩と有機酸）及び撒餌原料をダンゴその他の形状に造形できればどのような材料でもよい。例えば、食油、サナギ油、サラダ油、ラード等の油脂を用いることができ、又アルコールあるいはアルコールを主成分として含み、さらに必要に応じて適切な増粘材を含む液状又はペースト状の材料（便宜上、「アルコール類」という）を用いることもできる。
【００１８】
密閉可能な容器にはガラス製又はプラスチック製の瓶、プラスチック製や金属製のチューブ、軟質プラスチック製袋（例えばポリ塩化ビニル製袋）を用いることができる。
【００１９】
また、用いることのできる炭酸塩としては、炭酸カリウム、炭酸ナトリウム、炭酸マグネシウム等を挙げることができ、又炭酸水素塩としては、炭酸水素カリウム、炭酸水素ナトリウム等を挙げることができる。この炭酸塩と炭酸水素塩とはいずれか一方のみを用いてもよく、両方を用いるようにしてもよい。
【００２０】
また、有機酸としては、クエン酸、コハク酸、フマル酸、リンゴ酸、酒石酸等を挙げることができ、これらは一種でもよく、二種以上を混合して用いることもできる。
【００２１】
炭酸塩及び／又は炭酸水素塩と有機酸はいずれか一方が極端に少なくなることのないような量を容器に入れればよい。例えば、１回分又は複数回分の使用量を予め計量して瓶詰めや袋詰めにしてもよい。
【００２２】
撒餌原料としては、オキアミ、アミエビ、魚粉、グルテン粉末、サナギ粉、イモ粉、焼麸、パン粉等さらには酵母を加えたものを用いることができ、一種でもよく、二種以上を混合して用いることもでき、目的の魚に応じて適宜選択すればよい。
【発明を実施するための最良の形態】
【００２３】
〔第１の実施形態〕
以下、本発明を図面に示す具体例に基づいて詳細に説明する。図１は本発明に係る釣り用撒餌セットの好ましい実施形態を示す。図において、大袋１０には１回使用分又は複数回使用分の量の炭酸塩及び炭酸水素塩と撒餌原料とが粉粒の状態で入れられ、小袋１１には１回使用分又は複数回使用分の量の有機酸と所定量の造形材が混ぜ合わされてペースト状又は液状の状態で入れられている。造形材の量は練り合わせた時に撒餌の餌１２が適当な硬さとなるような量を予め求めて入れておく。
【００２４】
炭酸塩には炭酸カリウム、炭酸ナトリウム、炭酸マグネシウム等を、炭酸水素塩には炭酸水素カリウムや炭酸水素ナトリウム等を用いることができる。また、有機酸には、クエン酸、コハク酸、フマル酸、リンゴ酸、酒石酸等を一種又は二種以上を用いることができ、造形材には動物性又は植物性の油脂、あるいはアルコール類を用いることができる。
【００２５】
撒餌をする場合、大袋１０及び小袋１１を開封して適当な容器２０に入れて混ぜて練り合わせると、適切な硬さの撒餌用の餌１２が得られる。次に、釣り針３０に刺し餌３１をつけるとともに、容器２０内の餌１２を適量手にとって刺し餌３１を包みこむようにダンゴ３２にし、ポイントに投入すると、炭酸塩及び炭酸水素塩と有機酸とが水の存在下で反応して二酸化炭素の泡３３が発生し、ダンゴ３２は少しずつばらけてゆき、撒餌を効率よく行うことができる。
【００２６】
ダンゴ３２にするのではなく、容器２０内の餌１２を適量杓ですくってポイントに投入しても餌１２は造形可能な適切な硬さになっているので、刺し餌３１と一緒にダンゴ３２にして投入した場合と同様に餌１２が塊状のまま水中に沈み、炭酸塩及び炭酸水素塩と有機酸とが水の存在下で反応して二酸化炭素の泡３３が発生し、少しずつばらけてゆくこととなる。
【００２７】
以上のように、炭酸塩及び炭酸水素塩と有機酸とを別々に袋詰めし、撒餌をする時に混ぜ合わせるようにしたので、炭酸塩及び炭酸水素塩と有機酸とが空気中の水分を吸湿して徐々に反応することはなく、長期間が経過しても優れた発泡性を確保して撒餌の集魚及び食いの効果を確保できる。
【００２８】
〔第２の実施形態〕
本例では別々の容器に入れた炭酸塩及び炭酸水素塩と有機酸とによって撒餌セットを構成し、撒餌原料として釣ろうとする魚に応じた市販の撒餌材料であって、動植物性の油脂やアルコール類等の造形材が混ぜ合わされたウェットタイプの撒餌材料を使用するようにしている。本例の場合にはより一層釣果を期待できる。
【００２９】
〔第３の実施形態〕
本例では別々の容器に入れた炭酸塩及び炭酸水素塩と有機酸とによって撒餌セットを構成し、撒餌原料として釣ろうとする魚に応じた市販の撒餌材料であって、造形材を含まないドライタイプの撒餌材料を利用するようにしている。従って、本例の場合には動植物性の油脂やアルコール類等の造形材は炭酸塩及び／又は炭酸水素塩の容器、有機酸の容器のいずれか一方又は両方に入れるようにする。なお、これらとは別の容器に入れておき、撒餌を練り合わせる時に混ぜ合わせるようにしてもよい。
【００３０】
なお、第１の実施形態では撒餌原料を炭酸塩及び炭酸水素塩の袋に入れるようにしたが、撒餌原料を有機酸の袋に入れるようにしてもよく、又両方の袋に分けて入れるようにしてもよい。また、造形材は有機酸の袋ではなく、炭酸塩及び炭酸水素塩の袋に入れて炭酸塩及び炭酸水素塩をペースト状又は液状としてもよく、又有機酸や炭酸塩及び炭酸水素塩とは異なる容器、例えば袋やチューブ等に別途入れるようにしてもよい。
【００３１】
また、上記の各実施形態では炭酸塩及び炭酸水素塩の両方を用いるようにしたが、いずれか一方だけでもよい。
【図面の簡単な説明】
【００３２】
【図１】本発明に係る釣り用撒餌セットの好ましい実施形態を示す図である。
【図２】上記実施形態における撒餌を行っている状態を示す図である。
【符号の説明】
【００３３】
１０      炭酸塩及び炭酸水素塩と撒餌原料を入れた大袋
１１      有機酸と造形材を入れた小袋
１２      撒餌の餌
【図１】
2006166856.tif 000003
【図２】
2006166856.tif 000004